(57)【特許請求の範囲】
【請求項１】
動作可能な状態である通常モード、及び前記通常モードよりも消費電力の少ないスリープモードを有する画像形成装置であって、
ウォームアップ及びシートへの画像の形成を実行するシート画像形成部と、
タッチパネルを含み、第１指示及び第２指示を受け付ける操作部と、
前記操作部が前記第１指示を受け付けることに応じて前記スリープモードから前記通常モードに切り替え、前記操作部が前記第２指示を受け付けるまで前記シート画像形成部のウォームアップの実行を待機させる制御部と、
原稿の画像を読み取る読取部と、
前記読取部に向かって前記原稿を搬送する原稿搬送部と
を備え、
前記タッチパネルは、前記スリープモードにおいて接触を検知し、前記通常モードにおいて接触位置を検知し、
前記第１指示は、前記スリープモードにおいて、ユーザーの前記タッチパネルへの接触に基づく指示であり、
前記第２指示は、前記通常モードにおいて、前記シート画像形成部に前記シートへの前記画像の形成を実行させる指示であり、
前記タッチパネルには、前記ユーザーが前記画像形成装置を操作するための操作画面が表示され、
前記タッチパネルは、前記通常モードの前記操作画面と比較して前記スリープモードの前記操作画面の輝度を低くし、前記スリープモードにおいて、前記ユーザーの前記タッチパネルへの接触に基づく指示である前記第１指示を受け付けるが、前記ユーザーが接触して前記画像形成装置に実行させる機能を指定する複数のボタンを表示する前記タッチパネルへの接触位置に基づく指示を受け付けず、
前記操作部は、テンキー、カーソルキー、及びスタートキーを含み、
前記テンキー、前記カーソルキー、及び前記スタートキーのうち少なくとも１つは、前記タッチパネルに表示されるボタンであり、
前記原稿搬送部に前記原稿が載置され、前記第１指示によって前記スリープモードから前記通常モードに切り替えられると、コピー機能が選択されており、前記制御部は、前記スタートキーが押下されるか否を判定し、前記ユーザーによって前記画像形成装置に実行させる機能が選択されずに前記第２指示として前記スタートキーが押下されることに応じて、前記シート画像形成部にウォームアップを実行させ、
前記制御部は、前記スタートキーが押下されているか否かの判定で否定的判定をした場合、前記ユーザーによって前記コピー機能が選択されるか否かを判定し、前記操作部において第３指示として前記コピー機能が選択されることに応じて、前記シート画像形成部にウォームアップを実行させ、
前記第３指示は、前記通常モードにおいて、前記読取部に前記原稿の画像を読み取らせ、前記シート画像形成部に前記原稿の画像を前記シートに形成させる指示であり、
前記制御部は、
前記操作部が前記第１指示を受け付け、前記コピー機能が選択されるか否かの判定で否定的判定をした場合、前記テンキーが押下されるか否かを判定し、前記第２指示として前記テンキーが押下されることに応じて、前記シート画像形成部にウォームアップを実行させ、
前記操作部が前記第１指示を受け付け、前記テンキーが押下されるか否かの判定で否定的判定をした場合、前記カーソルキーが押下されるか否かを判定し、前記第２指示として前記カーソルキーが押下されることに応じて、前記シート画像形成部にウォームアップを実行させ、
前記カーソルキーが押下されるか否かの判定で否定的判定をした場合、前記シート画像形成部が前記シートに前記画像を形成する際の条件が前記シート画像形成部に設定されるか否かを判定し、前記操作部において第４指示として前記シートに前記画像を形成する際の前記条件が前記シート画像形成部に設定されることに応じて、前記シート画像形成部にウォームアップを実行させ、
前記シートに前記画像を形成する際の前記条件は、前記シートに形成される前記画像の濃度、前記シートに形成される前記画像のサイズの拡大率、及び／又は前記シートに形成される前記画像のレイアウトであり、
前記制御部は、前記シートに前記画像を形成する際の前記条件が前記シート画像形成部に設定されるか否かの判定で否定的判定をした場合、前記シート画像形成部を使用する機能は実行されないと判断し、前記シート画像形成部にウォームアップ動作をさせない、画像形成装置。
【発明の詳細な説明】
【技術分野】
【０００１】
本発明は、画像形成装置に関する。
【背景技術】
【０００２】
近年、通常モード及びスリープモードを有する画像形成装置が知られている。通常モードにおいて、画像形成装置は、動作可能な状態である。スリープモードにおいて、画像形成装置は、通常モードよりも消費電力の少ない状態である。ユーザーの画像形成装置の使用状況に応じて、画像形成装置の状態を切り替えることで、画像形成装置の電力の消費を抑制している。
【０００３】
操作パネル及びハードウェアキーを備える画像形成装置は、例えば、操作パネルの接触、所定のハードウェアキーの押下、又は原稿搬送装置への原稿の載置に応じて、スリープモードから通常モードに切り替えられる。画像形成装置は、スリープモードから通常モードに切り替えられる際に、シート画像形成部にウォームアップを実行させる。ウォームアップは、例えば、シートに画像を定着させる定着器の温度の上昇、画像形成装置に発生する熱を放熱させるファンの起動、及びシート画像形成部を動作させるためのモーターの起動である。
【０００４】
画像形成装置がコピー機能、スキャナー機能、又はファクシミリ機能等のうち、少なくとも２つ以上の機能を有する複合機である場合には、ユーザーは、シートへの画像の形成を実行させない画像形成装置の機能を使用する場合がある。例えば、ユーザーがファクシミリ機能を使用する場合である。この場合であっても、画像形成装置は、シート画像形成部にウォームアップを実行させる。その結果、画像形成装置は、不要な電力を消費する。
【先行技術文献】
【特許文献】
【０００５】
【特許文献１】特開２００４−２２２２３４号公報
【発明の概要】
【発明が解決しようとする課題】
【０００６】
そこで、特許文献１に記載の画像形成装置は、画像形成装置の実行する機能が指定されることに応じて、省エネ状態（スリープモード）から動作モードに移行し、指定された機能を実行するために必要な構成要素の電源復帰を行う。具体的には、ユーザーが、機能毎に設けられた複数のボタンのうち、実行させる機能に対応するボタンを押下する。画像形成装置は、押下されたボタンに対応する機能のみを起動させ、必要な機能にのみ電力を供給可能として電力の消費を抑制する。
【０００７】
しかしながら、画像形成装置は、小型化が求められている。従って、画像形成装置の実行する機能を選択させるためのハードウェアキーは削除されつつある。その結果、ユーザーは、ハードウェアキーを押下して画像形成装置の実行する機能を選択できない。また、タッチパネルを備える画像形成装置では、通常モードでのタッチパネルの輝度より、スリープモードでのタッチパネルの輝度を低くする場合がある。従って、スリープモードにおいて、タッチパネルに接触して画像形成装置に実行させる機能を選択することは、ユーザーにとって困難である。
【０００８】
本発明は、上記課題に鑑みてなされたものであり、画像形成装置の小型化を実現しつつ、電力の消費を抑制する画像形成装置を提供する。
【課題を解決するための手段】
【０００９】
本発明の観点によれば、画像形成装置は、動作可能な状態の通常モード、及び前記通常モードよりも消費電力の少ない状態のスリープモードを有する。画像形成装置は、シート画像形成部と、操作部と、制御部とを備えるシート画像形成部１０は、ウォームアップ及びシートへの画像の形成を実行する。操作部は、第１指示及び第２指示を受け付ける。制御部は、前記操作部が前記第１指示を受け付けることに応じて前記スリープモードから前記通常モードに切り替える。制御部は、前記操作部が前記第２指示を受け付けるまで前記シート画像形成部のウォームアップの実行を待機させる。前記第１指示は、前記スリープモードにおいて、前記操作部が操作されることである。前記第２指示は、前記通常モードにおいて、前記シート画像形成部に前記シートへの前記画像の形成を実行させる指示である。
【発明の効果】
【００１０】
本発明によれば、画像形成装置の小型化を実現しつつ、電力の消費を抑制できる。
【図面の簡単な説明】
【００１１】
【図１】本発明の実施形態に係る画像形成装置を示す模式図である。
【図２】本発明の実施形態に係る画像形成装置を示すブロック図である。
【図３】本発明の実施形態に係る画像形成装置が備えるシート画像形成部が実行するウォームアップを示すフローチャートである。
【発明を実施するための形態】
【００１２】
本発明の実施形態について、図面を参照して説明する。なお、以下に説明する実施形態は、特許請求の範囲に係る発明を限定するものではない。また、実施形態の中で説明する構成要素の全てが発明の解決手段に必須であるとは限らない。複数の図を通じて同一の符号は、同一の構成要素を示している。
【００１３】
図１及び図２を参照して、本発明の実施形態に係る画像形成装置１について説明する。図１は、画像形成装置１を示す。図２は、画像形成装置１を示すブロック図である。本実施形態において、画像形成装置１は、例えば、複写機、プリンター、又はファクシミリのうち少なくとも２つの機器を備える複合機である。
【００１４】
画像形成装置１は、シート画像形成部１０と、操作部２０と、制御部３０と、読取部４０と、原稿搬送部５０と、記憶部６０とを備える。本実施形態において、画像形成装置１は、通常モード及びスリープモードを有する。通常モードにおいて、画像形成装置１は動作可能な状態である。スリープモードにおいて、画像形成装置１は、画像形成装置１が備える各部の動作を一時的に停止させる。従って、スリープモードにおいて、画像形成装置１は、通常モードよりも消費電力が少ない状態である。例えば、画像形成装置１は、ユーザーに操作されない時間が所定の時間を超える場合に、通常モードからスリープモードに切り替えられる。その結果、ユーザーが画像形成装置１を使用しない間の画像形成装置１の電力の消費が抑制される。
【００１５】
シート画像形成部１０は、シートＴへの画像の形成を実行する。シート画像形成部１０は、収納部１２０と、搬送部１３０と、形成部１４０と、定着部１５０と、排出部１６０とを含む。シート画像形成部１０は、ウォームアップを実行する。シート画像形成部１０は、ウォームアップを実行することによって、シートＴへの画像の形成を実行可能にする。ウォームアップは、例えば、定着部１５０の温度の上昇、画像形成装置１に発生する熱を放熱させるファンの起動、及びシート画像形成部１０が備える各部を動作させるモーターの起動である。シートＴは、例えば、普通紙、コピー紙、再生紙、薄紙、厚紙、光沢紙、又はＯＨＰ（Ｏｖｅｒｈｅａｄ  Ｐｒｏｊｅｃｔｏｒ）シートである。シートＴは、シート画像形成部１０の内部を搬送される。
【００１６】
収納部１２０は、シートＴを収納する。収納部１２０は、カセット１２１及び手差しトレイ１２３を含む。カセット１２１はシートＴを積載する。シートＴは、カセット１２１から、又は手差しトレイ１２３から搬送部１３０に送り出される。搬送部１３０は、形成部１４０にシートＴを搬送する。
【００１７】
形成部１４０は、感光体ドラム１４１、帯電部１４２、露光部１４３、現像部１４４、転写部１４５、クリーニング部１４６、及び除電部１４７を含む。形成部１４０は、次のようしてシートＴに画像を形成（印刷）する。
【００１８】
帯電部１４２は感光体ドラム１４１の表面を帯電する。露光部１４３は、画像データに基づく光を感光体ドラム１４１の表面に照射する。その結果、感光体ドラム１４１の表面には画像データに対応した静電潜像が形成される。現像部１４４は、感光体ドラム１４１の表面に形成された静電潜像を現像し、感光体ドラム１４１の表面にトナー像を形成する。シートＴが感光体ドラム１４１と転写部１４５との間に供給されると、転写部１４５はシートＴにトナー像を転写する。クリーニング部１４６は、感光体ドラム１４１の表面に残留しているトナーを除去する。除電部１４７は、感光体ドラム１４１の表面の残留電荷を除去する。
【００１９】
トナー像が転写されたシートＴは、定着部１５０に向けて搬送される。定着部１５０は、シートＴを加熱及び加圧して、シートＴにトナー像を定着させる。画像が定着されたシートＴは排出部１６０に向けて搬送される。排出部１６０はシートＴを排出する。
【００２０】
操作部２０は、例えば、ユーザーから第１指示、第２指示、第３指示、及び第４指示を受け付ける。第１指示〜第４指示の詳細については後述する。操作部２０は、ハードウェアキー２１０及びタッチパネル２２０を含む。ハードウェアキー２１０は、操作部２０に物理的に設けられる。ハードウェアキー２１０は、テンキー２１１、カーソルキー２１３、及びスタートキー２１５を有する。テンキー２１１は、ユーザーが、数字を入力するためのキーである。例えば、ユーザーは、テンキー２１１を押下して数字を入力することで、画像の形成されるシートＴの枚数を指定する。また、例えばユーザーは、テンキー２１１を押下して数字を入力することで、画像データをファクシミリ送信するためのファクシミリ番号を指定する。
【００２１】
カーソルキー２１３は、ユーザーが、タッチパネル２２０に表示されるカーソルを移動させるためのキーである。例えば、タッチパネル２２０に、画像形成装置１に実行させる機能を指定する複数のボタンが表示される場合、ユーザーは、カーソルキー２１３を操作してカーソルを移動させ、画像形成装置１に実行させる機能を選択する。また、ユーザーは、カーソルキー２１３を押下することで、画像の形成されるシートＴの枚数を指定する。スタートキー２１５は、画像形成装置１が備える各種機能の実行開始を指示するためのキーである。
【００２２】
タッチパネル２２０には、ユーザーが画像形成装置１を操作するための操作画面が表示される。タッチパネル２２０は、例えば、通常モードの操作画面と比較してスリープモードの操作画面の輝度を低くする。タッチパネル２２０は、スリープモードにおいて、ユーザーがタッチパネル２２０を接触したか否かを検知する。具体的には、タッチパネル２２０は、ユーザーのタッチパネル２２０への接触に基づく指示を受け付けるが、ユーザーのタッチパネル２２０への接触位置に基づく指示を受け付けない。タッチパネル２２０は、通常モードにおいて、ユーザーのタッチパネル２２０への接触位置を検知する。
【００２３】
本実施形態において、タッチパネル２２０は、通常モードの操作画面の輝度と比較して、スリープモードの操作画面の輝度を低くする。従って、スリープモードにおいて、タッチパネル２２０の電力の消費を抑制できる。その結果、スリープモードでの画像形成装置１の電力の消費が抑制される。
【００２４】
また、本実施形態において、タッチパネル２２０は、スリープモードにおいて、ユーザーがタッチパネル２２０を接触したか否かを検知し、ユーザーのタッチパネル２２０への接触位置に基づく指示を受け付けない。従って、輝度を低くすることによって視認性の低くなったタッチパネル２２０の操作画面へのユーザーの誤った接触を防止できる。その結果、画像形成装置１の誤動作が抑制され、画像形成装置１の電力の消費が抑制される。なお、タッチパネル２２０は、スリープモードにおいて、ユーザーのタッチパネル２２０への接触位置を検出してもよい。
【００２５】
原稿搬送部５０は、読取部４０に向けて原稿を搬送する。原稿搬送部５０には、原稿が載置される。画像形成装置１は、例えば、スリープモードにおいて、原稿搬送部５０に原稿が載置されることに応じて、スリープモードから通常モードに切り替える。読取部４０は、原稿搬送部５０に搬送される原稿の画像を読み取って、画像データを生成する。
【００２６】
記憶部６０は、読取部４０の読み取った画像データを記憶する。記憶部６０は、主記憶装置（例えば、半導体メモリー）及び補助記憶装置（例えば、ハードディスクドライブ）を含む。記憶部６０は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）、及び補助記憶装置（例えば、ハードディスクドライブ）を含む。ＲＯＭには、制御部３０によって実行される種々のコンピュータープログラムが記憶される。
【００２７】
制御部３０は、画像形成装置１の各要素を制御する。制御部３０は、例えば、ＣＰＵ（Ｃｅｎｔｒａｌ  Ｐｒｏｃｅｓｓｉｎｇ  Ｕｎｉｔ）である。具体的には、制御部３０が、記憶部６０に格納されたコンピュータープログラムを実行することにより、シート画像形成部１０、操作部２０、読取部４０、及び原稿搬送部５０を制御する。
【００２８】
制御部３０は、操作部２０が第１指示を受け付けることに応じて、スリープモードから通常モードに切り替える。第１指示は、スリープモードにおいて、操作部２０が操作されることである。具体的には、第１指示は、例えば、スリープモードにおいて、ハードウェアキー２１０が押下されること、又はタッチパネル２２０がユーザーのタッチパネル２２０への接触を検知することである。また、制御部３０は、操作部２０が第２指示を受け付けるまでシート画像形成部１０のウォームアップの実行を待機させる。つまり、画像形成装置１に第２指示が入力されることに応じて、シート画像形成部１０にウォームアップを実行させる。第２指示は、例えば、通常モードにおいて、シート画像形成部１０に、シートＴへの画像の形成を実行させる指示である。
【００２９】
制御部３０は、原稿搬送部５０に原稿が載置され、操作部２０が第１指示及び第２指示を受け付けることに応じてシート画像形成部１０にウォームアップを実行させる。具体的には、制御部３０は、原稿搬送部５０に原稿が載置され、スリープモードから通常モードに切り替えられ、スタートキー２１５が押下されることに応じて、シート画像形成部１０にウォームアップを実行させる。
【００３０】
本実施形態において、操作部２０が画像形成装置１をスリープモードから通常モードに切り替えると、画像形成装置１には、コピー機能が選択されている。従って、ユーザーが、画像形成装置１に実行させる機能を選択せず、スタートキー２１５を押下すると、画像形成装置１は、コピー機能を実行する。コピー機能は、シート画像形成部１０がシートＴに画像を形成する機能である。つまり、シート画像形成部１０は、画像形成装置１の実行する機能が選択されずにスタートキー２１５が押下されることに応じて、ウォームアップを実行する。その結果、シート画像形成部１０には、ウォームアップを実行するための電力が供給される。
【００３１】
また、制御部３０は、操作部２０が第１指示及び第３指示を受け付けることに応じてシート画像形成部１０にウォームアップを実行させる。第３指示は、例えば、通常モードにおいて、読取部４０に原稿の画像を読み取らせ、シート画像形成部１０に原稿の画像をシートＴに形成させる指示である。具体的には、画像形成装置１がスリープモードから通常モードに切り替えられ、コピー機能が選択されることに応じて、制御部３０は、シート画像形成部１０にウォームアップを実行させる。
【００３２】
本実施形態において、ユーザーがコピー機能を選択すると、制御部３０は、シート画像形成部１０にシートＴへの画像の形成を実行させると判断する。従って、ユーザーがコピー機能を選択することに応じて、制御部３０は、シート画像形成部１０にウォームアップを実行させる。その結果、シート画像形成部１０には、ウォームアップを実行するための電力が供給される。
【００３３】
本実施形態によれば、ユーザーが、コピー機能を選択してからスタートキー２１５を押下するまでの間に、ウォームアップは実行される。従って、スタートキー２１５を押下してからシートＴへの画像の形成を開始するまでの時間を短縮できる。その結果、シートＴに画像が形成されるまでの時間は短縮される。
【００３４】
さらに、制御部３０は、操作部２０が第１指示を受け付け、テンキー２１１が押下されることに応じて、シート画像形成部１０にウォームアップを実行させる。本実施形態において、ユーザーがテンキー２１１を押下すると、制御部３０は、画像の形成されるシートＴの枚数が選択されると判断する。すなわち、ユーザーがテンキー２１１を押下すると、制御部３０は、シート画像形成部１０にシートＴへの画像の形成を実行させると判断する。従って、ユーザーがテンキー２１１を押下することに応じて、制御部３０は、シート画像形成部１０にウォームアップを実行させる。その結果、シート画像形成部１０には、ウォームアップを実行するための電力が供給される。
【００３５】
本実施形態によれば、ユーザーが、テンキー２１１を押下してからスタートキー２１５を押下するまでの間に、ウォームアップは実行される。従って、スタートキー２１５を押下してからシートＴへの画像の形成を開始するまでの時間を短縮できる。その結果、シートＴに画像が形成されるまでの時間は短縮される。
【００３６】
さらに、制御部３０は、操作部２０が第１指示を受け付け、カーソルキー２１３が押下されることに応じて、シート画像形成部１０にウォームアップを実行させる。本実施形態において、ユーザーがカーソルキー２１３を押下すると、制御部３０は、画像の形成されるシートＴの枚数が選択されると判断する。すなわち、ユーザーがカーソルキー２１３を押下すると、制御部３０は、シート画像形成部１０にシートＴへの画像の形成を実行させると判断する。従って、ユーザーがカーソルキー２１３を押下することに応じて、制御部３０は、シート画像形成部１０にウォームアップを実行させる。その結果、シート画像形成部１０には、ウォームアップを実行するための電力が供給される。
【００３７】
本実施形態によれば、ユーザーが、カーソルキー２１３を押下してからスタートキー２１５を押下するまでの間に、ウォームアップは実行される。従って、スタートキー２１５を押下してからシートＴへの画像の形成を開始するまでの時間を短縮できる。その結果、シートＴに画像が形成されるまでの時間は短縮される。
【００３８】
さらに制御部３０は、操作部２０が第１指示及び第４指示を受け付けることに応じてシート画像形成部１０にウォームアップを実行させる。第４指示は、通常モードにおいて、シート画像形成部１０がシートＴに画像を形成する際の条件をシート画像形成部１０に指定する指示である。具体的には、第４指示は、例えば、シートＴに形成される画像の濃度の指定、シートＴに形成される画像のサイズの拡大率の指定、及び／又はシートＴに形成される画像のレイアウトの指定である。
【００３９】
本実施形態において、ユーザーが、シート画像形成部１０がシートＴに画像を形成する際の条件をシート画像形成部１０に設定すると、制御部３０は、ユーザーがコピー機能を選択すると判断する。すなわち、制御部３０は、シート画像形成部１０にシートＴへの画像の形成を実行させると判断する。従って、シートＴに画像を形成するための条件がシート画像形成部１０に設定されることに応じて、制御部３０は、シート画像形成部１０にウォームアップを実行させる。その結果、シート画像形成部１０には、ウォームアップを実行するための電力が供給される。
【００４０】
本実施形態によれば、ユーザーが、シート画像形成部１０がシートＴに画像を形成する際の条件をシート画像形成部１０に設定してから、スタートキー２１５を押下するまでの間に、ウォームアップは実行される。従って、スタートキー２１５を押下してからシートＴへの画像の形成を開始するまでの時間を短縮できる。その結果、シートＴに画像が形成されるまでの時間は短縮される。
【００４１】
なお、制御部３０は、シート画像形成部１０がコピー機能を実行するための条件の指定が完了することに応じてシート画像形成部１０にウォームアップを実行させてもよい。また、制御部３０は、タッチパネル２２０に表示される操作画面が、コピー機能を実行するための条件を指定する画面に遷移することに応じて、シート画像形成部１０にウォームアップを実行させてもよい。この場合、シート画像形成部１０のウォームアップを実行してからシートＴへの画像の形成を終了させるまでの時間を短縮できる。
【００４２】
次に、図１〜図３を参照して本発明の実施形態に係る画像形成装置１が実行するウォームアップについて詳細を説明する。図３は、画像形成装置１が実行するウォームアップを示すフローチャートである。
【００４３】
ステップＳ１０１において、操作部２０が第１指示を受け付けることに応じて、制御部３０は、画像形成装置１をスリープモードから通常モードに切り替える。具体的には、スリープモードにおいてユーザーがハードウェアキー２１０を押下、又はタッチパネル２２０を接触することで、制御部３０は、画像形成装置１を通常モードに切り替える。以下、説明するステップにおいて、画像形成装置１は、通常モードである。
【００４４】
ステップＳ１０３において、制御部３０は、スタートキー２１５が押下されるか否かを判定する。ステップＳ１０３において肯定的判定（ＹＥＳ）がされる場合、処理はステップＳ１１３に進み、シート画像形成部１０は、ウォームアップを実行する。ステップＳ１０３において否定的判定（ＮＯ）がされる場合、処理はステップＳ１０５に進む。
【００４５】
ステップＳ１０５において、制御部３０は、コピー機能が選択されるか否かを判定する。ステップＳ１０５において肯定的判定（ＹＥＳ）がされる場合、処理はステップＳ１１３に進み、シート画像形成部１０は、ウォームアップを実行する。ステップＳ１０５において否定的判定（ＮＯ）がされる場合、処理はステップＳ１０７に進む。
【００４６】
ステップＳ１０７において、制御部３０は、テンキー２１１が押下されるか否かを判定する。ステップＳ１０７において肯定的判定（ＹＥＳ）がされる場合、処理はステップＳ１１３に進み、シート画像形成部１０は、ウォームアップを実行する。ステップＳ１０７において否定的判定（ＮＯ）がされる場合、処理はステップＳ１０９に進む。
【００４７】
ステップＳ１０９において、制御部３０は、カーソルキー２１３が押下されるか否かを判定する。ステップＳ１０９において肯定的判定（ＹＥＳ）がされる場合、処理はステップＳ１１３に進み、シート画像形成部１０は、ウォームアップを実行する。ステップＳ１０９において否定的判定（ＮＯ）がされる場合、処理はステップＳ１１１に進む。
【００４８】
ステップＳ１１１において、制御部３０は、シート画像形成部１０がシートＴに画像を形成する際の条件が、シート画像形成部１０に設定されるか否かを判定する。ステップＳ１１１において肯定的判定（ＹＥＳ）がされる場合、処理はステップＳ１１３に進み、シート画像形成部１０は、ウォームアップを実行する。ステップＳ１１１において否定的判定（ＮＯ）がされる場合、制御部３０は、シート画像形成部１０を使用する機能は実行されないと判断し、シート画像形成部１０にウォームアップ動作をさせずに処理を終了する。
【００４９】
以上、図１〜図３を参照して説明したように、本実施形態によれば、画像形成装置１は、スリープモードから通常モードに切り替えられた後に、操作部２０が第２指示を受け付けるまで、シート画像形成部１０のウォームアップの実行を待機させる。第２指示は、シート画像形成部１０にシートＴへの画像の形成を実行させる指示である。従って、シート画像形成部１０がシートＴへの画像の形成を実行する指示が入力されることに応じて、制御部３０は、シート画像形成部１０にウォームアップを実行させる。その結果、シート画像形成部１０を使用しない場合に、シート画像形成部１０がウォームアップを実行するための電力の消費を不要とし、画像形成装置１の電力の消費を抑制する。
【００５０】
以上、図面（図１〜図３）を参照しながら本発明の実施形態について説明した。但し、本発明は、上記の実施形態に限られるものではなく、その要旨を逸脱しない範囲で種々の態様において実施することが可能である（例えば、下記に示す（１）〜（３））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００５１】
（１）図１〜図３を参照して説明したように、本実施形態によれば、シート画像形成部１０は、必要に応じてウォームアップを実行する。ウォームアップは、一般的に、ユーザーにとって雑音である。従って、大きな音を発生させるウォームアップの不要な実行を抑制できる。その結果、ユーザーが雑音によって不快になることが抑制される。
【００５２】
（２）図１を参照して説明したように、テンキー２１１、カーソルキー２１３、及びスタートキー２１５は、画像形成装置１に物理的に設けられた。ただし、テンキー２１１、カーソルキー２１３、及びスタートキー２１５のうち少なくとも１つは、タッチパネル２２０に表示されるボタンであってもよい。
【００５３】
（３）図１を参照して説明したように、ユーザーは、カーソルキー２１３を操作してタッチパネル２２０に表示される項目を選択した。ただし、ユーザーは、タッチパネル２２０を接触することで、タッチパネル２２０に表示される項目を選択してもよい。
【産業上の利用可能性】
【００５４】
本発明は、画像形成装置の分野に利用可能である。
【符号の説明】
【００５５】
１      画像形成装置
１０    シート画像形成部
２０    操作部
２１１  テンキー
２１３  カーソルキー
２２０  タッチパネル
３０    制御部
４０    読取部
５０    原稿搬送部
【図１】
0006354579.tif 000002
【図２】
0006354579.tif 000003
【図３】
0006354579.tif 000004